(57)【要約】【課題】  無機質板を躯体に固定し、その脱落を防止できるその固定方法およびそのための治具の提供。【解決手段】  複数の大型無機質板を接着剤により躯体に張り付け、目地を挟んで隣り合う大型無機質板の間に突っ張り部材を挿入する。この突っ張り部材は、目地間において大型無機質板に対して躯体表面と平行な方向に応力を加える。これにより大型無機質板は、躯体に接着剤に固定されながら、さらに突っ張り部材により上下左右から力を受けて留め付けられている。経時的な劣化などで接着剤などによる固定が十分でなくなった場合でも、突っ張り部材により大型無機質板は留め付けられるため、脱落や、脱落に伴う被害を防ぐことができる。つまり、無機質板の躯体への二重化された固定方法が提供される。【選択図】  図１
2017095913.tif 000002
【特許請求の範囲】
【請求項１】
複数の大型無機質板を躯体に固定する方法であって、
（ａ）  前記大型無機質板を接着剤により躯体に張り付ける工程と、
（ｂ）  目地を挟んで隣り合う前記大型無機質板の間に、当該目地間において前記大型無機質板に対して前記躯体表面と平行な方向に応力を加える突っ張り部材を挿入する工程と
を含んでなる、方法。
【請求項２】
前記突っ張り部材が貫通孔を有し、当該孔に躯体との固定手段が貫通されると、当該突っ張り部材が変形して、前記大型無機質板に対して前記躯体表面と平行な方向に応力を加える、請求項１に記載の方法。
【請求項３】
前記突っ張り部材が、前記目地に挿入可能な幅と、前記目地の高さと同等かそれよりも小さい高さを有し、かつ当該突っ張り部材は、その一面から対抗する他の一面まで貫通する孔を有し、
前記工程（ｂ）において、前記孔を有する一面を躯体側に向けて前記目地に挿入され、当該孔に躯体との固定手段が貫通されると、前記突っ張り部材が変形して、前記大型無機質板に対して前記躯体表面と平行な方向に応力を加える、請求項１または２に記載の方法。
【請求項４】
前記突っ張り部材が直方体の形状を有する、請求項３に記載の方法。
【請求項５】
前記突っ張り部材が、底部と当該底部から立ち上がった二つの壁からなるコの字の断面形状であり、開口部を上にして前記目地間に挿入され、
前記底部に、躯体との固定手段が貫通されると、前記壁が前記大型無機質板に対して前記躯体表面と平行な方向に応力を加える、請求項１または２に記載の方法。
【請求項６】
前記底部に貫通孔が設けられてなる、請求項５に記載の方法。
【請求項７】
前記貫通孔にアンカーを躯体まで打ち込み、次に当該突っ張り部材を左右のいずれかにずらして打ち込まれたアンカーと前記突っ張り部材の位置を相対的にずらして、これにより前記突っ張り部材を変形させ、前記大型無機質板に対して前記躯体表面と平行な方向に応力を加わるようにする、請求項５または６に記載の方法。
【請求項８】
ずらした前記突っ張り部材が元の位置に戻らないよう、さらに前記貫通孔からアンカーを躯体まで打ち込み、突っ張り部材を固定する、請求項７に記載の方法。
【請求項９】
前記突っ張り部材の前記大型無機質板の側面に接する部分に凸部が設けられ、当該凸部が前記大型無機質板の側面に対して係合する、請求項１〜８のいずれか一項に記載の方法。
【請求項１０】
前記凸部に対応して、凹部が前記大型無機質板の側面に設けられてなり、前記凸部と凹部とが係合する、請求項９に記載の方法。
【請求項１１】
前記突っ張り部材が、前記底部に対して前記壁がほぼ垂直に立ち上がる形状を有する、請求項５〜１０のいずれか一項に記載の方法。
【請求項１２】
前記突っ張り部材が、前記底部に対して前記壁が９０度以上の角度で立ち上がり、逆台形の形態を有し、前記大型無機質板に対して前記躯体の深度方向に応力を加えるものである、請求項５〜１０のいずれか一項に記載の方法。
【請求項１３】
前記壁が、前記大型無機質板に対して凸形状に湾曲し、かつ前記大型無機質板の側面が、前記壁の凸形状の湾曲に対応して凹形状に湾曲している、請求項５〜１０のいずれか一項に記載の方法。
【発明の詳細な説明】
【技術分野】
【０００１】
本発明は、大型の無機質板を壁などの躯体に固定する施工方法に関し、さらに詳しくは大型無機質板を接着剤などで貼着する固定手段に加えて実施され、その脱落などを防止できる施工方法に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型無機質板、さらに薄型の大型陶磁器板が実用化され広く利用されてきており、このような大型無機質板についてもその施工は接着剤などによる張付けが一般的である。
【０００３】
このような大型無機質板を壁面などに施工する場合、経年により剥離や割れが発生しても、脱落並びに脱落に伴う被害を抑止することが必要になる。特に大型無機質板を外装材としてする場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。また、大型無機質板の場合、専用フレームを用意し、これに嵌め込み大型無機質板を固定する方法も行われているが、フレームが露出することにより意匠を損なう恐れがある。
【０００５】
化粧面の意匠性を損ねない施工方法として、無機質板の片面に非貫通孔を設け、この孔を利用して固定する方法が提案されている（例えば、特開平８−６８１８３号公報（特許文献１）、特開平１１−１５９１０２号公報（特許文献２）、特開２０１５−１０３８０号公報（特許文献３））。しかしながら、これらの方法は大型の無機質板の固定方法としてはその係止力には限度があると考えられる。
【０００６】
特開２０１２−２２４９８３号公報（特許文献６）は、目地に置いて複数のタイルを押さえる押さえ手段の開示があるが、目地幅より幅広であることから、無機質板の意匠に影響を与える。
【０００７】
従って、大型の無機質板の化粧面の意匠性を損ねず、脱落並びに脱落に伴う被害を抑止可能な施工方法が依然として求められていると言える。
【先行技術文献】
【特許文献】
【０００８】
【特許文献１】特開平８−６８１８３号公報
【特許文献２】特開平１１−１５９１０２号公報
【特許文献３】特開２０１５−１０３８０号公報
【特許文献４】特開平６−１０１３２１号公報
【特許文献５】特開２０１３−３２６６７号公報
【特許文献６】特開２０１２−２２４９８３号公報
【発明の概要】
【発明が解決しようとする課題】
【０００９】
本発明は、接着剤による固定手段に加え、大型無機質板を躯体に固定し、その脱落を防止できる、かつ大型無機質板の位置あわせ、目地幅調整を容易に行うことが可能な固定方法の提供を目的とする。
【課題を解決するための手段】
【００１０】
そして、本発明による複数の大型無機質板を躯体に固定する方法は、
（ａ）  前記大型無機質板を接着剤により躯体に張り付ける工程と、
（ｂ）  目地を挟んで隣り合う前記大型無機質板の間に、当該目地間において前記大型無機質板に対して前記躯体表面と平行な方向に応力を加える突っ張り部材を挿入する工程と
を含んでなることを特徴とする。
【図面の簡単な説明】
【００１１】
【図１】本発明の一つの態様による固定方法により、複数の大型無機質板が躯体に固定された状態の図である。
【図２】本発明の一つの態様による突っ張り部材を示す図である。（ａ）は、突っ張り部材の斜視図であり、（ｂ）は（ａ）のＡ−Ｂの横断面図であり、（ｃ）は上面図である。
【図３】本発明の別の態様による突っ張り部材を示す図である。（ａ）は、突っ張り部材の斜視図であり、（ｂ）は（ａ）のＡ−Ｂの横断面図であり、（ｃ）は上面図である。
【図４】大型無機質板１の間の目地２に、突っ張り部材３を挿入した図である。
【図５】図４の突っ張り部材３を図中矢印の方向にずらした後の突っ張り部材３を示す図である。
【図６】（ａ）は図５に示される突っ張り部材３に、さらにアンカーボルト１本を打ち込んだ図であり、（ｂ）はさらにアンカーボルトを打ち込み、固定した状態の図である。
【図７】（ａ）は、壁が底部に対して９０度以上の角度で立ち上がり、逆台形の形状の突っ張り部材の図であり、（ｂ）はこれを目地に挿入した状態の図である。（ｃ）は、大型無機質板の側面を、少なくとも突っ張り部材が当たる箇所において傾斜面として、（ａ）の突っ張り部材を挿入した状態の図である。
【図８】突っ張り部材の壁を凸形状に湾曲させ、かつ大型無機質板の側面を、壁の凸形状の湾曲に対応して凹形状に湾曲させた態様の図である。
【発明を実施するための形態】
【００１２】
以下、本発明を、図面を参照しながら説明する。
図１は、本発明の一つの態様による固定方法により、複数の大型無機質板が躯体に固定された状態の図である。図中、大型無機質板１が目地２をその間に設けられて接着剤により固定され、目地２において突っ張り部材３が挿入されている。この突っ張り部材は、大型無機質板に対して、それが固定されている躯体の表面と平行な方向に応力を加えるように作用する。
【００１３】
具体的には、例えば、図の中央にある大型無機質板１１は、接着剤によって躯体２０の表面２１に固定されており、さらにこの大型無機質板１１は、その左右において目地を挟んで大型無機質板１２および１３と隣り合っており、その間の目地に突っ張り部材３が挿入されている。この突っ張り部材３は、大型無機質板１１と１２、さらに１１と１３との間にあって、それぞれの大型無機質板を躯体２０の表面２１と平行な方向に押すように作用する。さらに、大型無機質板１１は、上下において無機質板１４および１５と目地を挟んで隣り合っており、その間の目地に突っ張り部材３が挿入されている。この突っ張り部材３は、大型無機質板１１と１４、さらに１１と１５との間にあって、それぞれの大型無機質板を躯体２０の表面２１と平行な方向に押すように作用する。つまり、大型無機質板１１は、躯体に接着剤に固定されながら、さらに突っ張り部材３により上下左右から力を受けて留め付けられていることになる。
【００１４】
このように本発明によれば、無機質板は、接着剤と、さらに突っ張り部材による二つの手段により固定されることとなる。このような二つの手段により固定され無機質板は、経時的な劣化などで接着剤などによる固定が十分でなくなった場合でも、もう一つの突っ張り部材による固定手段が存在するため、脱落や、脱落に伴う被害を防ぐことができる。すなわち、本発明によれば、無機質板の躯体への二重化された固定方法が提供される。
【００１５】
本発明による大型無機質板は、例えば陶磁器、石、またはガラスからなるものである。本発明において無機質板は、平板として、外装または内装の壁、床、天井の仕上げ材や、キャビネット面材やカウンターの仕上げ材に好ましく用いられる。その大きさは、本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。また、本発明の一つの態様によれば、本発明による方法は、例えば厚さは３ｍｍ以上１５ｍｍ程度まで、好ましくは８ｍｍ乃至１０ｍｍ程度までの大型無機質板に好ましく適用できる。
【００１６】
上記の大型無機質板の本発明による固定方法は、大型無機質板の接着剤による躯体への固定（工程（ａ））と、突っ張り部材の目地への挿入（工程（ｂ））という二つの工程から基本的になる。以下、本発明による固定方法を工程ごとに説明する。
【００１７】
工程（ａ）
大型無機質板を躯体へ接着剤により張り付け固定する工程である。この工程は、具体的には、躯体の表面に接着剤を塗布し、大型無機質板を張り付けることにより行われても、大型無機質板の裏面、すなわち化粧面とは反対側の面に、接着剤を塗付して躯体の表面に張り付けて行われても良い。
【００１８】
躯体張り付けのための接着剤としては、大型無機質板を躯体に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状の接着剤、ホットメルト接着剤、テープ状に成形されたもののいずれも好適に使用可能である。
【００１９】
工程（ｂ）
この工程において用いられる突っ張り部材は、貫通孔を有し、この孔に躯体との固定手段が貫通されると、突っ張り部材が変形して、大型無機質板に対して躯体表面と平行な方向に応力を加えるようにされた治具である。
【００２０】
この工程において用いられる突っ張り部材の例を、図面を用いて説明する。図２は、本発明の一つの態様による突っ張り部材を示す図である。図２（ａ）は、突っ張り部材の斜視図であり、（ｂ）は（ａ）のＡ−Ｂの横断面図であり、（ｃ）は上面図である。この態様の突っ張り部材は外形が直方体形状の本体３０を有し、本体３０は側面３１と、上面３２、底面３３とからなり、目地に挿入可能な幅Ｗと、目地の高さ（すなわち躯体の表面から大型無機質板の化粧面までの距離）と同等かそれよりも小さい高さＴを有する。さらに本体３０は、その一面から対抗する他の一面まで貫通する孔４０を有する。この態様では、貫通孔４０は、（ｃ）に示されるように、中央から左右に徐々に幅を狭くする、左右対称のくさび型の貫通孔とされる。さらに、図の態様にあっては、側面３１に、凸部３４が設けられている。
【００２１】
図３は、本発明の別の態様による突っ張り部材である。図３（ａ）は、突っ張り部材の斜視図であり、（ｂ）は（ａ）のＡ−Ｂの横断面図であり、（ｃ）は上面図である。この態様の突っ張り部材は、底部３５とこの底部３５から立ち上がった二つの壁３６からなるコの字の断面形状である。さらに底部３５には、貫通孔４０が設けられており、この態様では、貫通孔４０は、（ｃ）に示されるように、中央から左右に徐々に幅を狭くする、左右対称のくさび型の貫通孔とされる。さらに、図の態様にあっては、壁３６に、凸部３４が設けられている。
【００２２】
次に、図２および図３に示される突っ張り部材を用いた工程（ｂ）の具体的内容について説明する。この二つの態様による突っ張り部材は、実質的に同様に用いられ、特に断らない限り、以下の説明は二つの態様に共通であるが、以下の説明は図３に示される突っ張り部材についてのものである。図３に示される突っ張り部材３は、まず、躯体に固定された二つの大型無機質板の間の目地に挿入される。図４は、大型無機質板１の間の目地２に、突っ張り部材３を挿入した図である。突っ張り部材３を目地２に挿入した後、貫通孔４０のほぼ中央にアンカーボルト４１を打ち込む。これにより突っ張り部材３はやや変形して幅を広くし、その結果大型無機質板に対して躯体表面と平行な方向に応力を加え、大型無機質板を留め付ける。この態様にあっては、さらに突っ張り部材３を図の矢印の方向にずらすことで、さらに突っ張り部材３は変形して大型無機質板１を押さえ付ける。図５は、ずらした後の突っ張り部材３を示す図である。
【００２３】
図５の状態において、突っ張り部材３は大型無機質板１を留め付けるよう働くが、本発明の好ましい態様によれば、突っ張り部材３にさらにアンカーボルトを打ち込み、これにより突っ張り部材３が元の位置に戻り、大型無機質板を留め付ける力が失われることを防ぐ。具体的には、図６（ａ）に示されるように、アンカーボルト４２を、好ましくはアンカーボルト４１の貫通孔４０の反対側に打ち込み、突っ張り部材３をさらに固定する。図６（ｂ）に示されるように、さらにアンカーボルト４３を打ち込み、固定をさらに確実なものにしながら、突っ張り部材の変形をさらに大きくして、大型無機質板に加わる応力を大きくすることができ好ましい。
【００２４】
図２に示される突っ張り部材の本体３０の側面３１、および図３に示される突っ張り部材３の壁３６には凸部３４が設けられており、この凸部は突っ張り部材３に必須のものではないが、大型無機質板１の側面に係合して摩擦力を上げ、容易に突っ張り部材３が外れないようにするとの好ましい作用をする。さらに、本発明の好ましい態様によれば、凸部３４に対応する凹部を大型無機質板の側面に設け、両者をサネ構造とすることもできる。凸部と凹部とが係合して、突っ張り部材３をより確実の目地部の留めることができることから好ましい。突っ張り部材３が目地に確実に留まることで、大型無機質板１をより確実に固定することができる。
【００２５】
突っ張り部材３を構成する材料は、目地に挿入され、大型無機質板を押さえ、留め付けるための変形が可能なものであれば限定されないが、弾性を有する材料、例えば、樹脂または金属から形成できる。図３に示される突っ張り部材は、コの字の断面形状であることから目地にあっても、図２に示される突っ張り部材よりも目立たず、さらに底部３５に目地材を置くことでさらに他の目地部分と同一に見え、意匠的に有利である。他方、図２に示される突っ張り部材よりも壁３６の立ち上がりの強度が求められることから材質の選択には考慮が必要となろう。
【００２６】
以上の本発明による方法は、大型無機質板に二重の固定手段を与えるものであり、それによって、大型無機質板の脱落や、脱落に伴う被害を有効に防ぐことができる。さらに、本発明によれば、二重の固定手段を提供するために設けられる突っ張り部材は、小型であり、かつ目地部にあるため、大型無機質板の意匠を損なわないとの点においても有利なものである。
【００２７】
以上の本発明による方法にあっては、突っ張り部材３は目地に置かれることを基本とするが、図１の大型無機質板１２、１４のような、その隣に大型無機質板の存在しない大型無機質板についても、隣に大型無機質板が存在しない側の側面に、突っ張り部材３をアンカーで止めることも可能であり、また好ましい。これにより大型無機質板１２のように端にあり両側に目地のないものであっても、二重の固定手段により固定できるからである。
【００２８】
突っ張り部材の態様
本発明のさらに別の態様として、突っ張り部材は種々の形状、形態をとることができる。一つの例としては、図６に示されるように、突っ張り部材の壁が底部に対して９０度以上の角度で立ち上がり、逆台形の形状を取ることができる。
【００２９】
図７（ａ）は、この態様の突っ張り部材３の断面図であり、底部３５から壁３６が左右に広がりながら立ち上がる形状を有する。底部３５には、躯体への固定のためのアンカー４４が通る孔４０が設けられている。図７（ｂ）は、この突っ張り部材３を、大型無機質板の間の目地２に挿入した状態を示す図である。突っ張り部材３の壁３６は大型無機質板の目地２に押し込まれながら底部３５からほぼ垂直に立ち上がるまで変形する。突っ張り部材３を樹脂、金属のような弾性材料で構成することで、壁３６は大型無機質板１の側面を押すことにある。この態様にあっては、大型無機質板１に対して、躯体表面と平行の力だけではなく、躯体の深度方向に応力を加えることができる。これにより、より確実に大型無機質板１を躯体表面に留め付ける力が加わる点で有利である。
【００３０】
図７（ｃ）に示すように、大型無機質板１の側面を、少なくとも突っ張り部材が当たる箇所において傾斜面として、突っ張り部材３の壁３６と当接させることで、より確実に躯体の深度方向に応力が加わるようにすることも可能である。
【００３１】
また、本発明の別の態様によれば、図８に示されるように、突っ張り部材の壁を凸形状に湾曲させ、かつ大型無機質板の側面を、壁の凸形状の湾曲に対応して凹形状に湾曲させる。この態様によれば、大型無機質板に対して躯体表面と平行の力を加ながら、さらに突っ張り部材３をより確実の目地部の留めることができ、大型無機質板１をより確実に固定することができる。
【００３２】
さらに、本発明において突っ張り部材は、目地を挟んで隣り合う前記大型無機質板の間に、目地間にあって大型無機質板に対して体表面と平行な方向に応力を加えることができる限りにおいて、その形状は多様に選択でき、例えば、Ｕ形状、逆Ｕ形状、Ｈ形状など種々の変形が可能である。
【符号の説明】
【００３３】
１・・大型無機質板、２・・目地、３・・突っ張り部材、１１、１２、１３、１４・・大型無機質板、２０・・躯体、２１・・躯体表面、３０・・突っ張り部材本体、３１・・側面、３２・・上面、３３・・底面、３４・・壁凸部、３５・・底部、３６・・壁、４０・・孔、４１、４２、４３、４４・・アンカー
【図１】
2017095913.tif 000003
【図２】
2017095913.tif 000004
【図３】
2017095913.tif 000005
【図４】
2017095913.tif 000006
【図５】
2017095913.tif 000007
【図６】
2017095913.tif 000008
【図７】
2017095913.tif 000009
【図８】
2017095913.tif 000010